(57)【要約】      （修正有）【課題】用紙１１を容易に取り外すことができる綴じ部材を備えた紙製品の製作工程を１段階にすることができ、かつ、取り外した用紙の残りの部分を容易に取り除くことができるような綴じ部材を備えた紙製品を得る。【解決手段】用紙の綴じ込み側端縁２３となる一辺と略平行に配置された綴じ孔列を備えた紙製品において、前記綴じ孔２０が、長手方向と短手方向に所定の長さを有し、前記綴じ孔の長手方向が前記綴じ込み側端縁２３と略平行の方向であって略楕円弧と任意の多角線又は略直線との組合せからなるように構成する。【選択図】図１
2013123865.tif 000002
【特許請求の範囲】
【請求項１】
用紙の綴じ込み側端縁となる一辺と略平行に配置された綴じ孔列を備えた紙製品であって、
前記綴じ孔は、長手方向と短手方向に所定の長さを有し、前記綴じ孔の長手方向が前記綴じ込み側端縁と略平行の方向であることを特徴とする紙製品。
【請求項２】
請求項１記載の綴じ孔列を備えた紙製品において、
前記綴じ孔が、略楕円弧と任意の多角線又は略直線との組合せからなることを特徴とする紙製品。
【請求項３】
請求項１又は請求項２に記載の綴じ孔列を備えた紙製品において、
前記綴じ込み側端縁と略平行に配置された綴じ孔列を構成する綴じ孔が、前記綴じ込み側端縁と略平行な一本の略直線と、前記綴じ込み側端縁と略平行な一本の略直線より前記紙製品の綴じ込み側端縁側に構成される任意の多角線、略円弧又は略楕円弧との組合せからなることを特徴とする紙製品。
【請求項４】
請求項１乃至請求項３のいずれか１項に記載の綴じ孔列を備えた紙製品において、
前記綴じ孔列を構成する綴じ孔縁部と隣接する綴じ孔縁部の最接近部分の間隔が０．１ミリメートルから３．０ミリメートルの間となるように穿孔されていることを特徴とする紙製品。
【発明の詳細な説明】
【技術分野】
【０００１】
本発明は、紙製品の綴じ孔部分において容易に効率よく破断することができる紙製品に関する。
【背景技術】
【０００２】
ノートブックやカレンダー等のスパイラルリングやダブルリング等といった各種の綴じ部材を備えた紙製品において、綴じられた紙製品を破り取る行為が広く行われている。そして、この種の綴じ部材を備えた紙製品として、従来から種々の構造のものが知られている。
【０００３】
従来この種の綴じ部材を備えた紙製品として、例えば特許文献１に示すような構造のものが知られている。この特許文献１には、針金や樹脂材料などでなる綴じ部材を記録紙の端辺部に形成された孔に挿通することで複数枚の記録紙を綴じ、記録紙の上記孔が形成された位置から所定距離だけ平行に離れた記録面側の位置に、記録紙の１頁をノートから切り取るためのミシン目が形成され、このミシン目によって簡便に、かつきれいに記録紙を切り取ることができるノートブックが記載されている。
【０００４】
この種の綴じ部材を備えた紙製品として、特許文献１乃至４に記載されたものは、用紙の綴じ込み側端縁と略平行に形成されたミシン目により用紙を容易に取り外すことができ、取り外した用紙の縁が不規則な見苦しい状態になるという事態を生じさせないようにすることができるものである。（例えば、特許文献３参照）。
【先行技術文献】
【特許文献】
【０００５】
【特許文献１】特開平９−１８８０７５号公報
【０００６】
【特許文献２】特開２００１−３２２３７１号公報
【０００７】
【特許文献３】実用新案登録第３１３２３１９号公報
【０００８】
【特許文献４】実用新案登録第３１３８１０７号公報
【発明の概要】
【発明が解決しようとする課題】
【０００９】
しかし、上述した特許文献１等のような綴じ部材を備えた紙製品では、その製作工程において綴じ部材を通す孔を形成する工程と、用紙を取り外すためのミシン目を形成する工程の２段階が必要であって、その分製作コストがかさむこととなり、比較的薄手の紙を用いるノートブックでは可能でも、ノートブックより厚手の紙を用いるスケッチブックやカレンダーではコスト上の問題で断念せざるを得ず、そのため用紙を破り取るときに余分な力がかかって用紙だけでなく表紙を誤って破いたり、スパイラルリング等の綴じ部材を変形させることにもなっていた。
【００１０】
さらに、このように用紙を破り取ると、破り取った方の用紙の破断部分もスパイラルリング等の綴じ部材の中に残った破断片の破断部分も不規則な形状となり、見た目が汚い上にこの残った破断片を取り除こうとしても、綴じ部材の中に残った破断片の破断部分が不規則に突出した形状となり、この突出部が綴じ部材に引っかかるため破断片を綴じ部材から抜いて捨てることが困難であった。
【００１１】
また、従来この種の、綴じ部材を備えた用紙にミシン目を備える紙製品では、用紙の綴じ部材を通す孔列とミシン目との間の部分は、綴じ部材に綴じられたままであり、取り外された用紙が綴じられた用紙全体の一定の割合を超えると、残りの用紙をめくろうとするときに綴じ部材を通す孔と用紙との間に摩擦が生じやすくなることにより用紙がめくりにくくなり、めくるために加えた力により用紙が取り外されてしまうということがあるため、取り外した用紙の残りの部分も容易に取り除くことができるような対策を講じることが望まれている。
【００１２】
本発明はこのような事情に鑑みてなされたものであり、用紙を容易に取り外すことができる綴じ部材を備えた紙製品の製作工程を１段階にすることができ、かつ、取り外した用紙の残りの部分を容易に取り除くことができるような綴じ部材を備えた紙製品を提供することを目的とする。
【課題を解決するための手段】
【００１３】
このような目的に応えるために本発明（請求項１記載の発明）に係る綴じ孔列を備えた紙製品は、用紙の綴じ込み側端縁となる一辺と略平行に配置された綴じ孔列を備えた紙製品であって、前記綴じ孔は、長手方向と短手方向に所定の長さを有し、前記綴じ孔の長手方向が前記綴じ込み側端縁と略平行の方向であることを特徴とする。
【００１４】
このような構成によれば、通常の略真円形や略正方形の綴じ孔に比べて綴じ孔と綴じ孔との間が短くなることにより用紙を破断する際に必要な力が弱くなり、ノートブックに比べて厚手の画用紙などにおいても余分な力をいれずに用紙を破断することができる。
【００１５】
また、用紙を破断したあとにスパイラルリング等の綴じ部材の中に残った破断片の破断部分が通常の略真円形や略正方形の綴じ孔に比べて短いため、破断部分の不規則に突出した形状となる部分が小さくなり、この突出部が綴じ部材に引っかかりにくくなるため破断片を綴じ部材から抜いて捨てることが容易になるという利点がある。
【００１６】
本発明（請求項２記載の発明）に係る綴じ孔列を備えた紙製品は、請求項１記載の綴じ孔列を備えた紙製品において、前記綴じ孔が、略楕円弧と任意の多角線又は略直線との組合せからなることを特徴とする。
【００１７】
このような構成によれば、用紙を破り取ると、綴じ部材の中に残った破断片の破断部分の形状をなめらかにすることができ、破断部分の突出部が綴じ部材に引っかかりにくくなるため破断片を綴じ部材から抜いて捨てることがさらに容易になるという利点がある。
【００１８】
本発明（請求項３記載の発明）に係る綴じ孔列を備えた紙製品は、請求項１又は請求項２に記載の綴じ孔列を備えた紙製品において、前記綴じ込み側端縁と略平行に配置された綴じ孔列を構成する綴じ孔が、前記綴じ込み側端縁と略平行な一本の略直線と、前記綴じ込み側端縁と略平行な一本の略直線より前記紙製品の綴じ込み側端縁側に構成される任意の多角線、略円弧又は略楕円弧との組合せからなることを特徴とする。
【００１９】
このような構成によれば、用紙を破断する際に綴じ孔の前記紙製品の略直線の一辺と略平行な一本の略直線に沿って力がかかるため、用紙の破断に必要な力がさらに小さくなる上に、破断後の用紙の破断された辺が略直線となり、破断後の用紙が、綴じ孔以外にミシン目を備えた用紙と同様に破断辺を略直線とすることができる。
【００２０】
本発明（請求項４記載の発明）に係る綴じ孔列を備えた紙製品は、請求項１乃至請求項３のいずれか１項に記載の紙製品において、前記綴じ孔列を構成する綴じ孔縁部と隣接する綴じ孔縁部の最接近部分の間隔が０．１ミリメートルから３．０ミリメートルの間となるように穿孔されていることを特徴とする。
【００２１】
このような構成によれば、用紙を破断する際に必要な力が弱くなり、ノートブックに比べて厚手の画用紙やカレンダー用紙などにおいても余分な力をいれずに用紙を破断することができる。
【発明の効果】
【００２２】
以上説明したように本発明に係る綴じ孔列を備えた紙製品によれば、綴じ孔列を穿孔する工程に加えてミシン目を形成するというコストのかかる工程を経なくても、用紙の破断辺がなめらかで見た目が汚くならない綴じ孔を備えた紙製品を、紙製品に綴じ孔を穿孔する一工程で提供できるという優れた効果がある。
【００２３】
特に、本発明によれば、上述したような構成を採ることにより、見た目が汚い上に破り取っていない用紙をめくる動作の妨げとなる綴じ部材の中に残った破断片を容易に取り除くことができるという利点がある。
【図面の簡単な説明】
【００２４】
【図１】本発明に係る綴じ孔列を備えた紙製品の一実施例を示し、三角形の綴じ孔列を備えた紙製品の要部拡大図である。
【図２】図１において用紙と綴じ部材を組み合わせた状態の要部拡大図である。
【図３】図１において用紙を綴じ孔列に沿って破断した場合の要部拡大図である。
【図４】図１において用紙を綴じ孔列に沿って破断した場合の綴じ部材側に残った用紙の要部拡大図である。
【図５】図１において用紙を綴じ孔列に沿って破断した場合に綴じ部材側に残った用紙を綴じ部材から引き出す場合の要部拡大図である。
【図６】本発明に係る綴じ孔列を備えた紙製品の他の実施例を示し、半円形の綴じ孔列を備えた紙製品の要部拡大図である。
【図７】本発明に係る綴じ孔列を備えた紙製品の他の実施例を示し、円弧と多角線の組み合わせの綴じ孔列を備えた紙製品の要部拡大図である。
【図８】本発明に係る綴じ孔列を備えた紙製品の他の実施例を示し、楕円形の綴じ孔列を備えた紙製品の要部拡大図である。
【図９】従来の円形の綴じ孔列に沿って用紙を破断した場合に綴じ部材側に残った用紙を綴じ部材から引き出す場合の要部拡大図である。
【図１０】本発明に係る綴じ孔列を備えた紙製品の他の実施例を示し、表紙に綴じ孔と同じ形の幾何学模様を配することによりデザイン性を高めた紙製品の要部拡大図である。
【発明を実施するための形態】
【００２５】
本発明は以上のような構成であるので、これを図面に基づきながら本発明の実施の形態を説明する。
すなわち、本発明に係る綴じ孔列を備えた紙製品は、用紙を破り取る上で、用紙を破りとった後用紙の綴じ込み側に残った部分を容易に綴じ部材から抜き取ることができるようにすることのすることの重要性が注目されており、その破り取る動作を容易に効率よく行うことができるように構成されている。
【実施例１】
【００２６】
図１乃至図５は本発明に係る綴じ孔列を備えた紙製品の一実施例を示す。
これらの図において、全体を符号１０で示すものは本発明を特徴づける綴じ孔列を備えた紙製品である。
【００２７】
図１において、符号１１は、本発明に係る綴じ孔列を備えた紙製品１０を構成する用紙であり、該紙製品１０はこの用紙１１に綴じ孔を穿孔することにより構成される。
【００２８】
前記用紙１１には、綴じ孔２０が穿孔されており、前記綴じ孔２０はこの用紙１１の一辺と略平行に1列に穿孔されている。
【００２９】
また、この綴じ孔２０には、前記用紙１１の綴じ孔列を備える一辺と平行な略直線からなる縁部２１が設けられている。
【００３０】
前記綴じ孔列を備えた紙製品１０は、前記１列に穿孔された綴じ穴２０に綴じ部材２４を介して綴じられるように構成されている。この綴じ部材２４にはスパイラルリング、ダブルリングなどの綴じ孔の中を湾曲した部材が貫通する構造のものを用いることができる。
【００３１】
この綴じ孔列を備えた紙製品１０の綴じ部材２４を設けた一辺の縁部を把持し、用紙１１の綴じ孔縁部２１の方向に伸張した位置の一辺を把持して綴じ孔２０の方向へ引いて破断すると、前記縁部２１の部分は略直線のおっペンとなり縁部２１と隣接する縁部２１との間の不規則に突出した部分は短い上に直線に近い形状になりやすい。
【００３２】
前記綴じ孔２０の縁部と隣接する綴じ孔２０の縁部の最短距離が０．１ミリメートルから３．０ミリメートルの間であればこのような破断部分を形成することができる。この最短距離は０．１５ミリメートルから２．０ミリメートルの間であることが望ましく、０．２ミリメートルから０．９ミリメートルの間であればさらに望ましい。
【００３３】
なお、従来の円形の綴じ孔を備えるスケッチブック等の用紙を綴じ部材から破り取るように破断した場合、図９のようにこのようにして前記紙製品１０を破断した場合、綴じ部材の中に残った破断片の破断部分が不規則に突出した形状となり、この突出部が綴じ部材に引っかかるため破断片を綴じ部材から抜いて捨てることが困難である。
【実施例２】
【００３４】
図６は本発明に係る綴じ孔列を備えた紙製品１０の別の実施例を示すものである。すなわち、この実施例では、前記用紙１１の綴じ孔列を備える一辺と平行な略直線からなる縁部２１から綴じ孔列を備える一辺の方向に向かう略半円形の形状の綴じ孔２０を備えている。
【００３５】
実施例１では、用紙１１を破断する場合に綴じ部材２４が綴じ孔２０縁部の鋭角の角を牽引するため、その角から綴じ込み側端縁２３方向に用紙１１が破断してしまうことも考えられるが、本実施例においてはこのような構成を採用することにより、綴じ部材から綴じ孔２０の綴じ部材が係っている方の縁部にかかる力が分散されて、そのような破れ方をしにくくなり、綴じ部材の中に残った破断片の破断部分が不規則に突出した形状となりにくくなる。
【００３６】
なお、本発明は上述した実施の形態で説明した構造には限定されず、綴じ孔列を備えた紙製品１０を構成する各部の形状、構造等を適宜変形、変更し得ることはいうまでもない。
【００３７】
例えば、図７に示すように綴じ孔略円弧と多角線の組合せであったり、略楕円である場合も、紙製品を綴じ孔部分において容易に効率よく破断することができる。
【００３８】
また、請求項１乃至請求項４のいずれかに記載された綴じ孔列が穿孔された紙製品を使用して、用紙の綴じ込み側端縁２３と略平行な綴じ孔列縁部に沿って前記紙製品を破り取ることを特徴とする紙製品の破断方法が、従来の綴じ部材を備えたノートブック等における用紙の破断方法と一線を画するものであることもいうまでもない。
【符号の説明】
【００３９】
１０  綴じ孔列を備えた紙製品
１１  用紙
２０  綴じ孔
２１  綴じ孔縁部
２３  綴じ込み側端縁
２４  綴じ部材
２５  表紙
３０  従来の綴じ孔列を備えた紙製品
３２  従来の綴じ孔
【図１】
2013123865.tif 000003
【図２】
2013123865.tif 000004
【図３】
2013123865.tif 000005
【図４】
2013123865.tif 000006
【図５】
2013123865.tif 000007
【図６】
2013123865.tif 000008
【図７】
2013123865.tif 000009
【図８】
2013123865.tif 000010
【図９】
2013123865.tif 000011
【図１０】
2013123865.tif 000012
【手続補正書】
【提出日】平成24年8月22日(2012.8.22)
【手続補正１】
【補正対象書類名】明細書
【補正対象項目名】全文
【補正方法】変更
【補正の内容】
【発明の詳細な説明】
【技術分野】
【０００１】
本発明は、紙製品の綴じ孔部分において容易に効率よく破断することができる紙製品に関する。
【背景技術】
【０００２】
ノートブックやカレンダー等のスパイラルリングやダブルリング等といった各種の綴じ部材を備えた紙製品において、綴じられた紙製品を破り取る行為が広く行われている。そして、この種の綴じ部材を備えた紙製品として、従来から種々の構造のものが知られている。
【０００３】
従来この種の綴じ部材を備えた紙製品として、例えば特許文献１に示すような構造のものが知られている。この特許文献１には、針金や樹脂材料などでなる綴じ部材を記録紙の端辺部に形成された孔に挿通することで複数枚の記録紙を綴じ、記録紙の上記孔が形成された位置から所定距離だけ平行に離れた記録面側の位置に、記録紙の１頁をノートから切り取るためのミシン目が形成され、このミシン目によって簡便に、かつきれいに記録紙を切り取ることができるノートブックが記載されている。
【０００４】
この種の綴じ部材を備えた紙製品として、特許文献１乃至４に記載されたものは、用紙の綴じ込み側端縁と略平行に形成されたミシン目により用紙を容易に取り外すことができ、取り外した用紙の縁が不規則な見苦しい状態になるという事態を生じさせないようにすることができるものである。（例えば、特許文献３参照）。
【先行技術文献】
【特許文献】
【０００５】
【特許文献１】特開平９−１８８０７５号公報
【０００６】
【特許文献２】特開２００１−３２２３７１号公報
【０００７】
【特許文献３】実用新案登録第３１３２３１９号公報
【０００８】
【特許文献４】実用新案登録第３１３８１０７号公報
【発明の概要】
【発明が解決しようとする課題】
【０００９】
しかし、上述した特許文献１等のような綴じ部材を備えた紙製品では、その製作工程において綴じ部材を通す孔を形成する工程と、用紙を取り外すためのミシン目を形成する工程の２段階が必要であって、その分製作コストがかさむこととなり、比較的薄手の紙を用いるノートブックでは可能でも、ノートブックより厚手の紙を用いるスケッチブックやカレンダーではコスト上の問題で断念せざるを得ず、そのため用紙を破り取るときに余分な力がかかって用紙だけでなく表紙を誤って破いたり、スパイラルリング等の綴じ部材を変形させることにもなっていた。
【００１０】
さらに、このように用紙を破り取ると、破り取った方の用紙の破断部分もスパイラルリング等の綴じ部材の中に残った破断片の破断部分も不規則な形状となり、見た目が汚い上にこの残った破断片を取り除こうとしても、綴じ部材の中に残った破断片の破断部分が不規則に突出した形状となり、この突出部が綴じ部材に引っかかるため破断片を綴じ部材から抜いて捨てることが困難であった。
【００１１】
また、従来この種の、綴じ部材を備えた用紙にミシン目を備える紙製品では、用紙の綴じ部材を通す孔列とミシン目との間の部分は、綴じ部材に綴じられたままであり、取り外された用紙が綴じられた用紙全体の一定の割合を超えると、残りの用紙をめくろうとするときに綴じ部材を通す孔と用紙との間に摩擦が生じやすくなることにより用紙がめくりにくくなり、めくるために加えた力により用紙が取り外されてしまうということがあるため、取り外した用紙の残りの部分も容易に取り除くことができるような対策を講じることが望まれている。
【００１２】
本発明はこのような事情に鑑みてなされたものであり、用紙を容易に取り外すことができる綴じ部材を備えた紙製品の製作工程を１段階にすることができ、かつ、取り外した用紙の残りの部分を容易に取り除くことができるような綴じ部材を備えた紙製品を提供することを目的とする。
【課題を解決するための手段】
【００１３】
このような目的に応えるために本発明（請求項１記載の発明）に係る綴じ孔列を備えた紙製品は、用紙の綴じ込み側端縁となる一辺と略平行に配置された綴じ孔列を備えた紙製品であって、前記綴じ孔は、長手方向と短手方向に所定の長さを有し、前記綴じ孔の長手方向が前記綴じ込み側端縁と略平行の方向であって略楕円弧と任意の多角線又は略直線との組合せからなることを特徴とする。
【００１４】
このような構成によれば、通常の略真円形や略正方形の綴じ孔に比べて綴じ孔と綴じ孔との間が短くなることにより用紙を破断する際に必要な力が弱くなり、ノートブックに比べて厚手の画用紙などにおいても余分な力をいれずに用紙を破断することができる。
【００１５】
また、用紙を破断したあとにスパイラルリング等の綴じ部材の中に残った破断片の破断部分が通常の略真円形や略正方形の綴じ孔に比べて短いため、破断部分の不規則に突出した形状となる部分が小さくなり、綴じ部材の中に残った破断片の破断部分の形状をなめらかにすることができ、この突出部が綴じ部材に引っかかりにくくなるため破断片を綴じ部材から抜いて捨てることが容易になるという利点がある。
【００１６】
本発明（請求項２記載の発明）に係る綴じ孔列を備えた紙製品は、請求項１に記載の綴じ孔列を備えた紙製品であって、前記綴じ込み側端縁と略平行に配置された綴じ孔列を構成する綴じ孔が、前記綴じ込み側端縁と略平行な一本の略直線と、前記綴じ込み側端縁と略平行な一本の略直線より前記紙製品の綴じ込み側端縁側に構成される任意の多角線、略円弧又は略楕円弧との組合せからなり、前記綴じ孔列を構成する綴じ孔縁部と隣接する綴じ孔縁部の最接近部分の間隔が０．１ミリメートルから３．０ミリメートルの間となるように穿孔されていることを特徴とする。
【００１７】
このような構成によれば、用紙を破断する際に綴じ孔の前記紙製品の略直線の一辺と略平行な一本の略直線に沿って力がかかるため、用紙の破断に必要な力がさらに小さくなる上に、破断後の用紙の破断された辺が略直線となり、破断後の用紙が、綴じ孔以外にミシン目を備えた用紙と同様に破断辺を略直線とすることができ、用紙を破断する際に必要な力が弱くなり、ノートブックに比べて厚手の画用紙やカレンダー用紙などにおいても余分な力をいれずに用紙を破断することができる。
【発明の効果】
【００１８】
以上説明したように本発明に係る綴じ孔列を備えた紙製品によれば、綴じ孔列を穿孔する工程に加えてミシン目を形成するというコストのかかる工程を経なくても、用紙の破断辺がなめらかで見た目が汚くならない綴じ孔を備えた紙製品を、紙製品に綴じ孔を穿孔する一工程で提供できるという優れた効果がある。
【００１９】
特に、本発明によれば、上述したような構成を採ることにより、見た目が汚い上に破り取っていない用紙をめくる動作の妨げとなる綴じ部材の中に残った破断片を容易に取り除くことができるという利点がある。
【図面の簡単な説明】
【００２０】
【図１】本発明に係る綴じ孔列を備えた紙製品の一実施例を示し、三角形の綴じ孔列を備えた紙製品の要部拡大図である。
【図２】図１において用紙と綴じ部材を組み合わせた状態の要部拡大図である。
【図３】図１において用紙を綴じ孔列に沿って破断した場合の要部拡大図である。
【図４】図１において用紙を綴じ孔列に沿って破断した場合の綴じ部材側に残った用紙の要部拡大図である。
【図５】図１において用紙を綴じ孔列に沿って破断した場合に綴じ部材側に残った用紙を綴じ部材から引き出す場合の要部拡大図である。
【図６】本発明に係る綴じ孔列を備えた紙製品の他の実施例を示し、半円形の綴じ孔列を備えた紙製品の要部拡大図である。
【図７】本発明に係る綴じ孔列を備えた紙製品の他の実施例を示し、円弧と多角線の組み合わせの綴じ孔列を備えた紙製品の要部拡大図である。
【図８】本発明に係る綴じ孔列を備えた紙製品の他の実施例を示し、楕円形の綴じ孔列を備えた紙製品の要部拡大図である。
【図９】従来の円形の綴じ孔列に沿って用紙を破断した場合に綴じ部材側に残った用紙を綴じ部材から引き出す場合の要部拡大図である。
【図１０】本発明に係る綴じ孔列を備えた紙製品の他の実施例を示し、表紙に綴じ孔と同じ形の幾何学模様を配することによりデザイン性を高めた紙製品の要部拡大図である。
【発明を実施するための形態】
【００２１】
本発明は以上のような構成であるので、これを図面に基づきながら本発明の実施の形態を説明する。
すなわち、本発明に係る綴じ孔列を備えた紙製品は、用紙を破り取る上で、用紙を破りとった後用紙の綴じ込み側に残った部分を容易に綴じ部材から抜き取ることができるようにすることの重要性が注目されており、その破り取る動作を容易に効率よく行うことができるように構成されている。
【実施例１】
【００２２】
図１乃至図５は本発明に係る綴じ孔列を備えた紙製品の一実施例を示す。
これらの図において、全体を符号１０で示すものは本発明を特徴づける綴じ孔列を備えた紙製品である。
【００２３】
図１において、符号１１は、本発明に係る綴じ孔列を備えた紙製品１０を構成する用紙であり、該紙製品１０はこの用紙１１に綴じ孔を穿孔することにより構成される。
【００２４】
前記用紙１１には、綴じ孔２０が穿孔されており、前記綴じ孔２０はこの用紙１１の一辺と略平行に1列に穿孔されている。
【００２５】
また、この綴じ孔２０には、前記用紙１１の綴じ孔列を備える一辺と平行な略直線からなる縁部２１が設けられている。
【００２６】
前記綴じ孔列を備えた紙製品１０は、前記１列に穿孔された綴じ穴２０に綴じ部材２４を介して綴じられるように構成されている。この綴じ部材２４にはスパイラルリング、ダブルリングなどの綴じ孔の中を湾曲した部材が貫通する構造のものを用いることができる。
【００２７】
この綴じ孔列を備えた紙製品１０の綴じ部材２４を設けた一辺の縁部を把持し、用紙１１の綴じ孔縁部２１の方向に伸張した位置の一辺を把持して綴じ孔２０の方向へ引いて破断すると、前記縁部２１の部分は略直線の一辺となり縁部２１と隣接する縁部２１との間の不規則に突出した部分は短い上に直線に近い形状になりやすい。
【００２８】
前記綴じ孔２０の縁部と隣接する綴じ孔２０の縁部の最短距離が０．１ミリメートルから３．０ミリメートルの間であればこのような破断部分を形成することができる。この最短距離は０．１５ミリメートルから２．０ミリメートルの間であることが望ましく、０．２ミリメートルから０．９ミリメートルの間であればさらに望ましい。
【００２９】
なお、従来の円形の綴じ孔を備えるスケッチブック等の用紙を綴じ部材から破り取るように破断した場合、図９のようにこのようにして前記紙製品１０を破断した場合、綴じ部材の中に残った破断片の破断部分が不規則に突出した形状となり、この突出部が綴じ部材に引っかかるため破断片を綴じ部材から抜いて捨てることが困難である。
【実施例２】
【００３０】
図６は本発明に係る綴じ孔列を備えた紙製品１０の別の実施例を示すものである。すなわち、この実施例では、前記用紙１１の綴じ孔列を備える一辺と平行な略直線からなる縁部２１から綴じ孔列を備える一辺の方向に向かう略半円形の形状の綴じ孔２０を備えている。
【００３１】
実施例１では、用紙１１を破断する場合に綴じ部材２４が綴じ孔２０縁部の鋭角の角を牽引するため、その角から綴じ込み側端縁２３方向に用紙１１が破断してしまうことも考えられるが、本実施例においてはこのような構成を採用することにより、綴じ部材から綴じ孔２０の綴じ部材が係っている方の縁部にかかる力が分散されて、そのような破れ方をしにくくなり、綴じ部材の中に残った破断片の破断部分が不規則に突出した形状となりにくくなる。
【００３２】
なお、本発明は上述した実施の形態で説明した構造には限定されず、綴じ孔列を備えた紙製品１０を構成する各部の形状、構造等を適宜変形、変更し得ることはいうまでもない。
【００３３】
例えば、図７に示すように綴じ孔略円弧と多角線の組合せであったり、略楕円である場合も、紙製品を綴じ孔部分において容易に効率よく破断することができる。
【００３４】
また、請求項１乃至請求項４のいずれかに記載された綴じ孔列が穿孔された紙製品を使用して、用紙の綴じ込み側端縁２３と略平行な綴じ孔列縁部に沿って前記紙製品を破り取ることを特徴とする紙製品の破断方法が、従来の綴じ部材を備えたノートブック等における用紙の破断方法と一線を画するものであることもいうまでもない。
【符号の説明】
【００３５】
１０  綴じ孔列を備えた紙製品
１１  用紙
２０  綴じ孔
２１  綴じ孔縁部
２３  綴じ込み側端縁
２４  綴じ部材
２５  表紙
３０  従来の綴じ孔列を備えた紙製品
３２  従来の綴じ孔
【手続補正２】
【補正対象書類名】特許請求の範囲
【補正対象項目名】全文
【補正方法】変更
【補正の内容】
【特許請求の範囲】
【請求項１】
用紙の綴じ込み側端縁となる一辺と略平行に配置された綴じ孔列を備えた紙製品であって、
前記綴じ孔は、長手方向と短手方向に所定の長さを有し、前記綴じ孔の長手方向が前記綴じ込み側端縁と略平行の方向であって略楕円弧と任意の多角線又は略直線との組合せからなることを特徴とする紙製品。
【請求項２】
請求項１に記載の綴じ孔列を備えた紙製品であって、
前記綴じ込み側端縁と略平行に配置された綴じ孔列を構成する綴じ孔が、前記綴じ込み側端縁と略平行な一本の略直線と、前記綴じ込み側端縁と略平行な一本の略直線より前記紙製品の綴じ込み側端縁側に構成される任意の多角線、略円弧又は略楕円弧との組合せからなり、前記綴じ孔列を構成する綴じ孔縁部と隣接する綴じ孔縁部の最接近部分の間隔が０．１ミリメートルから３．０ミリメートルの間となるように穿孔されていることを特徴とする紙製品。